(57)【要約】      （修正有）【課題】外部からモード信号を受信することなく調光モードを判定可能な発光制御装置、光源装置及び投写型映像表示装置を提供する。【解決手段】光源装置２００において、発光制御装置１００は、ＰＷＭ信号ＤＣＳ１が入力されるＰＷＭ端子ＴＤＣＳと、第１制御信号ＤＲＶを出力する第１駆動回路１１０と、第２制御信号ＧＴＢを出力する第２駆動回路１２０と、モード判定回路１３０と、を含む。第１制御信号ＤＲＶは、ＰＷＭ信号ＤＣＳ１がアクティブのとき、第１スイッチング素子１１をオンさせると共に、ＰＷＭ信号ＤＣＳ１が非アクティブのとき、第１スイッチング素子１１をオフさせる。第２制御信号ＧＴＢは、ＰＷＭ信号ＤＣＳ１がアクティブのとき、第２スイッチング素子１２のオンオフを制御する。モード判定回路１３０は、ＰＷＭ調光モードなのかアナログ調光モードなのかを、ＰＷＭ信号ＤＣＳ１に基づいて判定する。【選択図】図１
2020136079.tif 000002
【特許請求の範囲】
【請求項１】
第１電源ノードとインダクターの一端との間において発光素子に対して直列に設けられた第１スイッチング素子と、前記インダクターの他端と第２電源ノードとの間に設けられた第２スイッチング素子と、を制御する発光制御装置であって、
ＰＷＭ信号が入力されるＰＷＭ端子と、
前記ＰＷＭ信号がアクティブのとき前記第１スイッチング素子をオンさせると共に、前記ＰＷＭ信号が非アクティブのとき前記第１スイッチング素子をオフさせる第１制御信号を出力する第１駆動回路と、
前記ＰＷＭ信号がアクティブのとき、前記第２スイッチング素子のオンオフを制御する第２制御信号を出力する第２駆動回路と、
前記第１制御信号による調光モードであるＰＷＭ調光モードなのか、前記第２制御信号による調光モードであるアナログ調光モードなのかを、前記ＰＷＭ信号に基づいて判定するモード判定回路と、
を含むことを特徴とする発光制御装置。
【請求項２】
請求項１に記載された発光制御装置において、
前記モード判定回路は、
前記ＰＷＭ信号の前記アクティブ期間の長さ、又は前記ＰＷＭ信号のデューティー比を判定することで、前記ＰＷＭ調光モードであるか前記アナログ調光モードであるかを判定することを特徴とする発光制御装置。
【請求項３】
請求項１に記載された発光制御装置において、
前記ＰＷＭ調光モードにおいて、前記ＰＷＭ信号の前記アクティブ期間の長さに対応した複数のモードを有し、
前記モード判定回路は、
前記ＰＷＭ信号の前記アクティブ期間の長さを判定することで、前記複数の動作モードのうちいずれの動作モードであるかを判定することを特徴とする発光制御装置。
【請求項４】
請求項１に記載された発光制御装置において、
前記ＰＷＭ調光モードにおいて、前記ＰＷＭ信号のデューティー比に対応した複数の動作モードを有し、
前記モード判定回路は、
前記ＰＷＭ信号のデューティー比を判定することで、前記複数の動作モードのうちいずれの動作モードであるかを判定することを特徴とする発光制御装置。
【請求項５】
請求項３又は４に記載された発光制御装置において、
前記発光素子に流れる電流を検出する電流検出回路を含み、
前記第２駆動回路は、
前記電流検出回路の検出結果に基づいて前記第２制御信号を出力し、
前記複数の動作モードは、
前記電流検出回路の第１動作モードと第２動作モードとを含むことを特徴とする発光制御装置。
【請求項６】
請求項５に記載された発光制御装置において、
前記第１電源ノードと前記インダクターの一端との間に、前記発光素子及び前記第１スイッチング素子と直列に第１抵抗が設けられ、
前記電流検出回路は、
前記第１抵抗の両端の電位差をサンプルホールドするサンプルホールド回路と、
前記サンプルホールド回路の出力電圧を増幅する第１アンプ回路と、
前記第１抵抗の両端の電位差を増幅する第２アンプ回路と、
前記第１動作モードにおいて前記第１アンプ回路の出力電圧を前記検出結果として出力し、前記第２動作モードにおいて前記第２アンプ回路の出力電圧を前記検出結果として出力するスイッチ回路と、
を有することを特徴とする発光制御装置。
【請求項７】
請求項３又は４に記載された発光制御装置において、
前記発光素子に流れる電流を検出する電流検出回路を含み、
前記第２駆動回路は、
前記電流検出回路の検出結果に基づいて前記第２制御信号を出力し、
前記複数の動作モードは、
前記第２駆動回路の第１動作モードと第２動作モードとを含み、
前記第２駆動回路は、
前記第２動作モードにおいて、前記ＰＷＭ信号が非アクティブからアクティブになった後のマスク期間において、前記電流検出回路の前記検出結果をマスクするマスク動作を行い、
前記第１動作モードにおいて、前記マスク動作を行わないことを特徴とする発光制御装置。
【請求項８】
請求項３又は４に記載された発光制御装置において、
前記複数の動作モードは、
前記第２駆動回路の第１動作モードと第２動作モードとを含み、
前記第２駆動回路は、
前記第１動作モードにおいて、前記第１スイッチング素子がオンからオフになるとき前記第２スイッチング素子をオフさせる前記第２制御信号を出力し、
前記第２動作モードにおいて、前記第１スイッチング素子がオンからオフになった後、所定期間において前記第２スイッチング素子をオンに維持する前記第２制御信号を出力することを特徴とする発光制御装置。
【請求項９】
請求項３に記載された発光制御装置において、
前記複数の動作モードは、第１動作モードと第２動作モードを含み、
前記モード判定回路は、
前記ＰＷＭ信号の前記アクティブ期間の長さがしきい値より短いとき、前記第１動作モードと判定し、前記ＰＷＭ信号の前記アクティブ期間の長さがしきい値より長いとき、前記第２動作モードと判定することを特徴とする発光制御装置。
【請求項１０】
請求項４に記載された発光制御装置において、
前記複数の動作モードは、第１動作モードと第２動作モードを含み、
前記モード判定回路は、
前記ＰＷＭ信号の前記デューティー比がしきい値より小さいとき、前記第１動作モードと判定し、前記ＰＷＭ信号の前記デューティー比がしきい値より大きいとき、前記第２動作モードと判定することを特徴とする発光制御装置。
【請求項１１】
請求項１乃至８のいずれか一項に記載された発光制御装置において、
前記モード判定回路は、
一端が前記第２電源ノードに接続されるキャパシターと、
前記キャパシターの他端に接続され、前記キャパシターに電流を供給する電流源と、
前記キャパシターの前記他端と前記第２電源ノードとの間に接続され、前記ＰＷＭ信号が非アクティブからアクティブになったときオンからオフになるトランジスターと、
前記キャパシターの前記他端の電圧がしきい値電圧より低いとき第１論理レベルの信号を出力し、前記キャパシターの前記他端の電圧が前記しきい値電圧より高いとき第２論理レベルの信号を出力するバッファー回路と、
を有することを特徴とする発光制御装置。
【請求項１２】
請求項１に記載された発光制御装置において、
第２調光モードにおいて前記発光素子を調光する調光用電圧が入力される調光用電圧入力端子を含み、
前記第２駆動回路は、
前記ＰＷＭ信号がアクティブである期間において、前記調光用電圧に対応した電流が前記発光素子に流れるように前記第２スイッチング素子に前記第２制御信号を出力するスイッチングレギュレート制御を行い、
前記ＰＷＭ調光モードは、前記ＰＷＭ信号のパルス幅により前記発光素子の発光量が設定される調光モードであり、
前記アナログ調光モードは、前記ＰＷＭ信号がアクティブに固定され、前記調光用電圧の電圧値により前記発光素子の発光量が設定される調光モードであることを特徴とする発光制御装置。
【請求項１３】
請求項１乃至１２のいずれか一項に記載された発光制御装置と、
前記発光素子と、
前記第１スイッチング素子と、
前記第２スイッチング素子と、
を含むことを特徴とする光源装置。
【請求項１４】
第１電源ノードと第１ノードとの間に電気的に接続される発光素子と、
前記第１電源ノードと前記第１ノードとの間において、前記発光素子に直列に電気的に接続される第１スイッチング素子と、
前記第１ノードと第２ノードとの間に電気的に接続されるインダクターと、
前記第２ノードと第２電源ノードとの間に電気的に接続される第２スイッチング素子と、
前記第１スイッチング素子に第１制御信号を出力し、前記第２スイッチング素子に第２制御信号を出力する発光制御装置と、
を含み、
発光制御装置は、
ＰＷＭ信号が入力されるＰＷＭ端子と、
前記ＰＷＭ信号がアクティブのとき前記第１スイッチング素子をオンさせると共に、前記ＰＷＭ信号が非アクティブのとき前記第１スイッチング素子をオフさせる前記第１制御信号を出力する第１駆動回路と、
前記ＰＷＭ信号がアクティブである期間において、前記第２スイッチング素子のオンオフを制御する前記第２制御信号を出力する第２駆動回路と、
前記第１制御信号による調光モードであるＰＷＭ調光モードなのか、前記第２制御信号による調光モードであるアナログ調光モードなのかを、前記ＰＷＭ信号に基づいて判定するモード判定回路と、
を有することを特徴とする光源装置。
【請求項１５】
請求項１３又は１４に記載された光源装置を含むことを特徴とする投写型映像表示装置。
【発明の詳細な説明】
【技術分野】
【０００１】
本発明は、発光制御装置、光源装置及び投写型映像表示装置等に関する。
【背景技術】
【０００２】
例えばプロジェクター等に用いられる光源を制御する発光制御装置が知られている。発光制御装置は、外部の処理装置から供給されるＰＷＭ信号と調光制御用電圧に基づいて、発光素子の発光量を調光する。調光モードには、調光用制御電圧の電圧値によって発光量が調光されるアナログ調光モードと、ＰＷＭ信号のパルス幅によって発光量が調光されるＰＷＭ調光モードと、がある。最大輝度から所定輝度までアナログ調光モードにより調光され、所定輝度以下ではＰＷＭ調光モードにより調光される。このような発光制御装置の従来技術は、例えば特許文献１に開示されている。また特許文献１には、発光制御装置が、ＰＷＭ調光モードにおいて複数の動作モードを有することが記載されている。複数の動作モードは、例えば、発光素子に流れる電流を検出する電流検出装置の動作モードを含んでいる。
【先行技術文献】
【特許文献】
【０００３】
【特許文献１】米国特許出願公開第２０１８／０１８０９７８号明細書
【発明の概要】
【発明が解決しようとする課題】
【０００４】
上記発光制御装置において、調光モード又は動作モードに応じて内部動作を制御しようとした場合、調光モード又は動作モードを示すモード信号が必要になる。外部の処理装置は、ＰＷＭ信号及び調光制御用電圧を発光制御装置に供給しているので、調光モード又は動作モードを把握することが可能である。このため、外部の処理装置から発光制御装置にモード設定信号を入力することが考えられる。しかしながら、モード信号を受信するための端子を発光制御装置に設ける必要があり、端子数又は回路規模が増加するという課題がある。
【課題を解決するための手段】
【０００５】
本発明の一態様は、第１電源ノードとインダクターの一端との間において発光素子に対して直列に設けられた第１スイッチング素子と、前記インダクターの他端と第２電源ノードとの間に設けられた第２スイッチング素子と、を制御する発光制御装置であって、ＰＷＭ信号が入力されるＰＷＭ端子と、前記ＰＷＭ信号がアクティブのとき前記第１スイッチング素子をオンさせると共に、前記ＰＷＭ信号が非アクティブのとき前記第１スイッチング素子をオフさせる第１制御信号を出力する第１駆動回路と、前記ＰＷＭ信号がアクティブのとき、前記第２スイッチング素子のオンオフを制御する第２制御信号を出力する第２駆動回路と、前記第１制御信号による調光モードであるＰＷＭ調光モードなのか、前記第２制御信号による調光モードであるアナログ調光モードなのかを、前記ＰＷＭ信号に基づいて判定するモード判定回路と、を含む発光制御装置に関係する。
【図面の簡単な説明】
【０００６】
【図１】光源装置の第１構成例。
【図２】アナログ調光モードにおける波形図。
【図３】ＰＷＭ調光モードにおける第１波形図。
【図４】ＰＷＭ調光モードにおける第２波形図。
【図５】モード判定回路の動作と、各モードにおける発光制御装置の動作を説明する図。
【図６】電流検出回路の詳細な構成例。
【図７】マスク動作が有効であるときの波形図。
【図８】光源装置の第２構成例。
【図９】セレクターの動作を説明する図。
【図１０】モード判定回路の詳細構成例。
【図１１】第１判定回路の詳細構成例。
【図１２】第１判定回路の動作を説明する波形図。
【図１３】第２判定回路の詳細構成例。
【図１４】第２判定回路の動作を説明する波形図。
【図１５】第２判定回路の動作を説明する波形図。
【図１６】第２判定回路の変形例。
【図１７】第２判定回路の変形例の動作を説明する波形図。
【図１８】モード判定回路の変形例。
【図１９】モード判定回路の変形例の動作を説明する波形図。
【図２０】投写型映像表示装置の構成例。
【発明を実施するための形態】
【０００７】
以下、本開示の好適な実施の形態について詳細に説明する。なお以下に説明する本実施形態は特許請求の範囲に記載内容を不当に限定するものではなく、本実施形態で説明される構成の全てが必須構成要件であるとは限らない。
【０００８】
１．光源装置、発光制御装置
図１は、光源装置２００の第１構成例である。光源装置２００は、発光素子及びその周辺回路である光源回路１０と、発光素子の発光を制御する発光制御装置１００と、を含む。発光制御装置１００は例えば集積回路装置であり、例えば半導体チップにより実現される。
【０００９】
まず図１を用いて光源回路１０と発光制御装置１００の構成を説明し、図２〜図４を用いてＰＷＭ調光モードとアナログ調光モードについて説明する。その後、図５以降においてモード判定について説明する。
【００１０】
図１に示すように、光源回路１０は、第１スイッチング素子１１と第２スイッチング素子１２とインダクター１４と発光素子１５とを含む。また光源回路１０は、第１抵抗ＲＣＳと抵抗ＲＩＳ、ＲＡとキャパシターＣＡ〜ＣＤとダイオードＤＡ〜ＤＤとを含む。なお図１には、第１スイッチング素子１１と第２スイッチング素子１２がＮ型トランジスターである場合を図示するが、これらのスイッチング素子はＮ型トランジスターに限定されない。
【００１１】
発光素子１５は、電流ＩＬＤによって駆動され、電流ＩＬＤの電流値に応じた明るさで発光する。発光素子１５は、直列に接続された複数のレーザーダイオードである。但し、発光素子１５は、１つのレーザーダイオードであってもよいし、或いはＬＥＤ（Light Emitting Diode）であってもよい。
【００１２】
発光素子１５と第１スイッチング素子１１は、第１電源ノードＮＶＩとインダクター１４の一端との間に直列に設けられる。第２スイッチング素子１２は、インダクター１４の他端と第２電源ノードＮＧＮとの間に設けられる。具体的には、第１電源ノードＮＶＩと発光素子１５の一端の間に第１抵抗ＲＣＳが接続され、発光素子１５の他端が第１スイッチング素子１１のドレインに接続され、第１スイッチング素子１１のソースがインダクター１４の一端に接続される。インダクター１４の他端が第２スイッチング素子１２のドレインに接続され、第２スイッチング素子１２のソースと第２電源ノードＮＧＮの間に抵抗ＲＩＳが接続される。第１電源ノードＮＶＩは第１電源が入力されるノードであり、第２電源ノードＮＧＮは第２電源が入力されるノードである。第１電源の電圧は第２電源の電圧より高い。第２電源は例えばグランドである。なお、抵抗ＲＡ、キャパシターＣＡ〜ＣＤ、ダイオードＤＡ〜ＤＤについて接続関係は図１に図示する通りであり、これらの回路素子を含む光源回路１０の動作について図２〜図４で後述する。
【００１３】
第２スイッチング素子１２は、インダクター１４に流れる電流をスイッチングレギュレート制御する。第１スイッチング素子１１は、インダクター１４に流れる電流を発光素子１５に流すか否かを制御する。詳細は後述するが、第１スイッチング素子１１が常時オンしており、第２スイッチング素子１２のスイッチングレギュレート制御によって発光素子１５の発光量が制御されるモードをアナログ調光モードと呼ぶ。また、第１スイッチング素子１１がオンオフすることで、そのオンデューティーによって発光素子１５の発光量が制御されるモードをＰＷＭ調光モードと呼ぶ。
【００１４】
発光制御装置１００は、ＰＷＭ端子ＴＤＣＳと第１駆動回路１１０と第２駆動回路１２０とモード判定回路１３０とを含む。また発光制御装置１００は、発振回路１４０と調光用電圧入力端子ＴＡＣＳと端子ＴＤＲＶ、ＴＧＴＡ、ＴＧＴＢ、ＴＩＳ、ＴＣＳＰ、ＴＣＳＮとを含む。
【００１５】
ＰＷＭ端子ＴＤＣＳには、ＰＷＭ調光モードにおいて調光制御に用いられるＰＷＭ信号ＤＣＳ１が、処理装置から入力される。調光用電圧入力端子ＴＡＣＳには、アナログ調光モードにおいて調光制御に用いられる調光用電圧ＡＣＳ１が、処理装置から入力される。処理装置は、発光制御装置１００のホスト装置であり、例えばＭＰＵ、ＣＰＵ等のプロセッサーである。
【００１６】
第１駆動回路１１０は、第１スイッチング素子１１をオン又はオフに制御する第１制御信号ＤＲＶを、ＰＷＭ信号ＤＣＳ１に基づいて出力する。第１制御信号ＤＲＶは端子ＴＤＲＶから出力され、キャパシターＣＤを介して第１スイッチング素子１１のゲートに入力される。第１駆動回路１１０は、ＰＷＭ信号ＤＣＳ１がアクティブのとき、第１スイッチング素子１１をオンさせる第１制御信号ＤＲＶを出力し、ＰＷＭ信号ＤＣＳ１が非アクティブのとき、第１スイッチング素子１１をオフさせる第１制御信号ＤＲＶを出力する。第１駆動回路１１０は、例えば、ＰＷＭ信号ＤＣＳ１をバッファリングするバッファー回路等により構成される。
【００１７】
発振回路１４０は、クロック信号ＣＬＫ１を生成する。例えば発振回路１４０は、ＣＲ発振回路、又はリングオシレーター、マルチバイブレーター等である。
【００１８】
第２駆動回路１２０は、調光用電圧ＡＣＳ１とＰＷＭ信号ＤＣＳ１とクロック信号ＣＬＫ１に基づいて第２制御信号ＧＴＢを出力する。第２制御信号ＧＴＢは、端子ＴＧＴＢから出力され、第２スイッチング素子１２のゲートに入力される。第２制御信号ＧＴＢは、ＰＷＭ信号ＤＣＳ１がアクティブである期間において、第２スイッチング素子１２のオンオフを制御する。具体的には、第１抵抗ＲＣＳの一端の電圧ＣＳＰが端子ＴＣＳＰに入力され、第１抵抗ＲＣＳの他端の電圧ＣＳＮが端子ＴＣＳＮに入力され、抵抗ＲＩＳの一端の電圧ＩＳが端子ＴＩＳに入力される。第２駆動回路１２０は、電圧ＣＳＰ、ＣＳＮ、ＩＳと調光用電圧ＡＣＳ１に基づいて、発光素子１５に流れる電流ＩＬＤをスイッチングレギュレート制御することで、調光用電圧ＡＣＳ１に対応した電流ＩＬＤとなるように制御する。
【００１９】
また第２駆動回路１２０は、第１スイッチング素子１１の動作を補助する制御信号ＧＴＡを出力する。制御信号ＧＴＡは基本的に第２制御信号ＧＴＢと同じであるが、後述するように第２制御信号ＧＴＢと異なる場合がある。なお制御信号ＧＴＡを第２制御信号として第２スイッチング素子１２のゲートに入力してもよい。この場合、端子ＴＧＴＢは省略される。
【００２０】
第２駆動回路１２０は、制御信号出力回路１２１とスロープ補償回路１２２と電流検出回路１２３とエラーアンプ回路１２４とスイッチ回路１２５とコンパレーター１２６とを含む。以下、これら第２駆動回路１２０の各部と、第１駆動回路１１０の各調光モードにおける動作について、図２〜図４の波形図を用いて説明する。なお以下ではアクティブをハイレベルとし、非アクティブをローレベルとする。
【００２１】
図２はアナログ調光モードにおける波形図である。アナログ調光モードにおいて、ＰＷＭ信号ＤＣＳ１はハイレベルである。第１駆動回路１１０は、ハイレベルの第１制御信号ＤＲＶを出力することで、第１スイッチング素子１１を常時オンさせる。なおＰＷＭ調光モードでは、ＰＷＭ信号ＤＣＳ１は、ハイ幅のデューティーが１００％未満の矩形波である。このため、アナログ調光モードにおける常時ハイレベルのＰＷＭ信号ＤＣＳ１を、ハイ幅のデューティーが１００％のＰＷＭ信号とする。
【００２２】
電流検出回路１２３は、第１抵抗ＲＣＳの両端の電位差ＣＳＰ−ＣＳＮ＝ＲＣＳ×ＩＬＤに所与のゲインを乗じることで、検出電圧ＤＴＱを出力する。エラーアンプ回路１２４は、検出電圧ＤＴＱと調光用電圧ＡＣＳ１の誤差を増幅する。スイッチ回路１２５は、ＰＷＭ信号ＤＣＳ１がハイレベルのときオンであり、ＰＷＭ信号ＤＣＳ１がローレベルのときオフである。アナログ調光モードではスイッチ回路１２５は常時オンである。
【００２３】
スロープ補償回路１２２は、レーザーダイオードのサブハーモニック発振を抑制するために、電圧ＩＳの時間変化における傾きを増加させ、その傾き増加後の電圧ＳＬＱを出力する。コンパレーター１２６は、電圧ＳＬＱとエラーアンプ回路１２４の出力電圧ＥＲＱとを比較し、ＳＬＱ＜ＥＲＱのときローレベルの信号ＣＰＱを出力し、ＳＬＱ＞ＥＲＱのときハイレベルの信号ＣＰＱを出力する。
【００２４】
制御信号出力回路１２１は、クロック信号ＣＬＫ１のエッジで第２制御信号ＧＴＢをローレベルからハイレベルに遷移させる。第２制御信号ＧＴＢがハイレベルのとき第２スイッチング素子１２がオンなので、第２スイッチング素子１２と抵抗ＲＩＳを介してインダクター１４から第２電源ノードＮＧＮに電流が流れる。インダクター１４に流れる電流が増加していくので、電圧ＩＳが上昇し、スロープ補償回路１２２の出力電圧ＳＬＱが上昇する。インダクター１４に流れる電流は第１スイッチング素子１１を介して発光素子１５に流れるので、発光素子１５に流れる電流ＩＬＤも上昇していく。
【００２５】
ＳＬＱ＞ＥＲＱとなったときコンパレーター１２６の出力信号ＣＰＱがローレベルからハイレベルに遷移する。このとき制御信号出力回路１２１は、第２制御信号ＧＴＢをハイレベルからローレベルに遷移させる。第２制御信号ＧＴＢがローレベルのとき、第２スイッチング素子１２がオフなので、インダクター１４からダイオードＤＡを介して第１電源ノードＮＶＩに電流が流れる。インダクター１４に流れる電流は低下していくので、発光素子１５に流れる電流ＩＬＤも低下していく。
【００２６】
電流ＩＬＤの検出結果である検出電圧ＤＴＱと、調光用電圧ＡＣＳ１とが異なっている場合、エラーアンプ回路１２４の出力電圧ＥＲＱが変化するので、第２制御信号ＧＴＢのデューティーが変化する。これにより、検出電圧ＤＴＱが調光用電圧ＡＣＳ１に一致するように、電流ＩＬＤがフィードバック制御される。このようなフィードバック制御によって、電流ＩＬＤが一定に保たれる。この電流ＩＬＤを一定に保つ制御をスイッチングレギュレート制御と呼ぶ。電流ＩＬＤは、調光用電圧ＡＣＳ１に対応した電流値に保たれ、処理装置が調光用電圧ＡＣＳ１を変化させた場合には、それに応じて電流ＩＬＤが変化する。即ち、アナログ調光モードでは、調光用電圧ＡＣＳ１によって発光素子１５の発光量が調光される。
【００２７】
制御信号ＧＴＡについて説明する。アナログ調光モードにおいて制御信号ＧＴＡは第２制御信号ＧＴＢと同じ波形である。第１スイッチング素子１１のゲート−ソース間にはダイオードＤＢと抵抗ＲＡが保護素子として接続されている。第１制御信号ＤＲＶはキャパシターＣＤによりＤＣカットされているので、抵抗ＲＡを介して第１スイッチング素子１１のゲート−ソース間電圧が徐々に低下していく。このため、ゲート−ソース間電圧を維持するために制御信号ＧＴＡが出力される。
【００２８】
具体的には、制御信号ＧＴＡはキャパシターＣＣの一端に入力される。制御信号ＧＴＡがローレベルのとき、キャパシターＣＣの他端の電圧は、ダイオードＤＣを介して第１スイッチング素子１１のソース電圧となっている。制御信号ＧＴＡがローレベルからハイレベルに遷移したときの電位差を遷移電圧と呼ぶこととする。制御信号ＧＴＡがローレベルからハイレベルに遷移したとき、キャパシターＣＣの他端の電圧が遷移電圧の分だけ上昇するので、その電圧がダイオードＤＤを介して第１スイッチング素子１１のゲートに供給される。これにより、第１スイッチング素子１１のゲート−ソース間電圧が遷移電圧となるので、抵抗ＲＡによる電圧低下が補償される。なお、以上の説明ではダイオードにおける電圧ドロップを無視している。
【００２９】
以上のアナログ調光モードは、電流ＩＬＤの最大値から所定値まで用いられる。即ち発光素子１５を高輝度で発光させる場合にアナログ調光モードが用いられる。一方、電流ＩＬＤが所定値未満のとき、即ち、発光素子１５を低輝度で発光させる場合には、ＰＷＭ調光モードが用いられる。
【００３０】
図３は、ＰＷＭ調光モードにおける第１波形図である。ＰＷＭ信号ＤＣＳ１の周期をＴＰＷＭとし、ＰＷＭ信号ＤＣＳ１がハイレベルの期間をＴＨＷとする。ＰＷＭ信号ＤＣＳ１のデューティーは（ＴＨＷ／ＴＰＷＭ）×１００％である。なお、第２制御信号ＧＴＢの周波数は、ＰＷＭ信号ＤＣＳ１の周波数よりも高く設定されている。
【００３１】
ＰＷＭ信号ＤＣＳ１がハイレベルのとき、第１駆動回路１１０はハイレベルの第１制御信号ＤＲＶを出力し、第１スイッチング素子１１をオンさせる。このとき、第２駆動回路１２０が第２制御信号ＧＴＢをスイッチングすることで、スイッチングレギュレート制御を行う。これにより、調光用電圧ＡＣＳ１に対応した電流ＩＬＤが発光素子１５に流れる。ＰＷＭ信号ＤＣＳ１がローレベルのとき、第１駆動回路１１０はローレベルの第１制御信号ＤＲＶを出力し、第１スイッチング素子１１をオフさせる。また第２駆動回路１２０は、第２制御信号ＧＴＢをローレベルにする。このとき、発光素子１５に電流は流れない。
【００３２】
発光素子１５に流れる電流ＩＬＤの時間平均は、ＰＷＭ信号ＤＣＳ１のデューティーによって決まるので、発光量もＰＷＭ信号ＤＣＳ１のデューティーによって決まる。このように、ＰＷＭ調光モードでは、ＰＷＭ信号ＤＣＳ１のデューティーにより調光制御される。一方で、発光素子１５に電流ＩＬＤが流れているときの電流値は、その時間平均よりも高い電流値が確保されている。レーザーダイオードを発光させるためには、しきい値以上の電流ＩＬＤをレーザーダイオードに流す必要がある。上記のようなＰＷＭ制御を行うことで、レーザーダイオードにしきい値以上の電流ＩＬＤを流して発光させる共に、時間平均として調光を行うことが可能となっている。
【００３３】
なお、ＰＷＭ信号ＤＣＳ１が所定デューティー以上の高デューティーである場合には、第２駆動回路１２０は、第２制御信号ＧＴＢと同じ波形の制御信号ＧＴＡを出力する。
【００３４】
図４は、ＰＷＭ調光モードにおける第２波形図である。図４には、ＰＷＭ信号ＤＣＳ１が所定デューティー以下の低デューティーである場合の波形図を示す。
【００３５】
ＰＷＭ信号ＤＣＳ１が低デューティーである場合、第２制御信号ＧＴＢと制御信号ＧＴＡの波形が異なる。具体的には、第２駆動回路１２０は、ＰＷＭ信号ＤＣＳ１がハイレベルからローレベルになったとき、制御信号ＧＴＡをローレベルにする。一方、第２駆動回路１２０は、ＰＷＭ信号ＤＣＳ１がハイレベルからローレベルになった後、所定期間、第２制御信号ＧＴＢをハイレベルに維持し、その後にローレベルにする。
【００３６】
ＰＷＭ信号ＤＣＳ１が低デューティーの場合には、第２スイッチング素子１２がインダクター１４に電流を流す時間が短くなるため、デューティーに対応した電流よりも少ない電流しかインダクター１４に流せないおそれがある。このため、第２スイッチング素子１２のオン時間を延長する。一方、ＰＷＭ信号ＤＣＳ１がローレベルのとき第１スイッチング素子１１を確実にオフさせるために、制御信号ＧＴＡはＰＷＭ信号ＤＣＳ１に合わせてローレベルにする。
【００３７】
２．モード判定回路
図５は、モード判定回路１３０の動作と、各モードにおける発光制御装置１００の動作を説明する図である。
【００３８】
モード判定回路１３０は、第１制御信号ＤＲＶによる調光モードであるＰＷＭ調光モードなのか、第２制御信号ＧＴＢによる調光モードであるアナログ調光モードなのかを、ＰＷＭ信号ＤＣＳ１に基づいて判定する。具体的には、モード判定回路１３０は、ＰＷＭ信号ＤＣＳ１のアクティブ期間の長さ又はデューティー比を判定することで、ＰＷＭ調光モードであるかアナログ調光モードであるかを判定する。なお、ＰＷＭ信号ＤＣＳ１の周期に対するアクティブ期間の長さの比がデューティー比なので、アクティブ期間の長さを検出することで実質的にデューティー比が検出される。
【００３９】
このように、処理装置からＰＷＭ端子ＴＤＣＳに入力されたＰＷＭ信号ＤＣＳ１に基づいて調光モードを判定することで、外部からモード信号を受信しなくても発光制御装置１００の内部で調光モードを判定できる。これにより、端子数又は回路規模が増加させることなく調光モードを知ることができる。
【００４０】
また発光制御装置１００は、ＰＷＭ調光モードにおいて、ＰＷＭ信号ＤＣＳ１のデューティー比に対応した複数の動作モードを有する。モード判定回路１３０は、ＰＷＭ信号ＤＣＳ１のデューティー比を判定することで、複数の動作モードのうちいずれの動作モードであるかを判定する。或いは、発光制御装置１００は、ＰＷＭ調光モードにおいて、ＰＷＭ信号ＤＣＳ１のアクティブ期間の長さに対応した複数の動作モードを有する。モード判定回路１３０は、ＰＷＭ信号ＤＣＳ１のアクティブ期間の長さを判定することで、複数の動作モードのうちいずれの動作モードであるかを判定してもよい。
【００４１】
このように、処理装置からＰＷＭ端子ＴＤＣＳに入力されたＰＷＭ信号ＤＣＳ１に基づいて発光制御装置１００の動作モードを判定することで、外部からモード信号を受信しなくても発光制御装置１００の内部で動作モードを判定できる。これにより、端子数又は回路規模が増加させることなく動作モードを知ることができる。
【００４２】
より具体的には、図５に示すように、モード判定回路１３０は、ＰＷＭ信号ＤＣＳ１に基づいて調光モード判定信号ＡＭＯＤ１とデューティー判定信号ＳＨＭＯＤ１を出力する。モード判定回路１３０は、ＰＷＭ信号ＤＣＳ１のデューティーが１％以上１００％未満のとき、ＰＷＭ調光モードと判定し、ＡＭＯＤ１＝Ｌを出力する。モード判定回路１３０は、ＰＷＭ信号ＤＣＳ１のデューティーが１００％のとき、アナログ調光モードと判定し、ＡＭＯＤ１＝Ｈを出力する。Ｌはローレベルを意味し、Ｈはハイレベルを意味する。またモード判定回路１３０は、ＰＷＭ信号ＤＣＳ１のデューティーが１％以上１０％未満のとき、低デューティーモードと判定し、ＳＨＭＯＤ１＝Ｈを出力する。モード判定回路１３０は、ＰＷＭ信号ＤＣＳ１のデューティーが１０％以上１００％以下のとき、高デューティーモードと判定し、ＳＨＭＯＤ１＝Ｌを出力する。
【００４３】
なお、図５では低デューティーモードと高デューティーモードの判定しきい値を１０％としているが、判定しきい値として１０％以外を採用してもよい。また図５では、サンプルホールド有り／無しと、マスク有効／無効と、ゲート延長有効／無効の判定しきい値が同じであるが、これらの判定しきい値が互いに異なっていてもよい。
【００４４】
まず図５を用いて、ＳＨＭＯＤ１を用いた動作制御の例を説明する。なおＡＭＯＤ１を用いた動作制御の例については後述する。
【００４５】
図５に示すように、電流検出回路１２３は、ＳＨＭＯＤ１＝Ｈのとき、サンプルホールド有りの第１動作モードで動作し、ＳＨＭＯＤ１＝Ｈのとき、サンプルホールド無しの第２動作モードで動作する。
【００４６】
また第２駆動回路１２０は、ＳＨＭＯＤ１＝Ｈのとき、マスク有効の第１動作モードで動作し、ＳＨＭＯＤ１＝Ｈのとき、マスク無効の第２動作モードで動作する。マスク動作とは、ＰＷＭ信号ＤＣＳ１が非アクティブからアクティブになった後のマスク期間において、電流検出回路１２３の検出結果をマスクすることである。
【００４７】
また制御信号出力回路１２１は、ＳＨＭＯＤ１＝Ｈのとき、ゲート延長有効の第１動作モードで動作し、ＳＨＭＯＤ１＝Ｈのとき、ゲート延長無効の第２動作モードで動作する。ゲート延長とは、図４で説明したように、第２スイッチング素子１２のオン時間を延長することである。
【００４８】
以下、上記動作モードの詳細を説明する。まず電流検出回路１２３の動作モードを説明する。図６は電流検出回路１２３の詳細な構成例である。電流検出回路１２３は、第１アンプ回路ＳＡＡと第２アンプ回路ＳＡＢとサンプルホールド回路ＳＨＣとスイッチ回路ＳＬＳＨとを含む。
【００４９】
サンプルホールド回路ＳＨＣは、第１抵抗ＲＣＳの両端の電位差（ＣＳＰ−ＣＳＮ）をサンプルホールドする。具体的には、サンプルホールド回路ＳＨＣは、第１スイッチング素子１１がオフする直前、即ち第１制御信号ＤＲＶがハイレベルからローレベルに遷移する直前に、電位差（ＣＳＰ−ＣＳＮ）をサンプルホールドする。例えば、サンプルホールド回路ＳＨＣはスイッチドキャパシター回路により構成され、スイッチドキャパシター回路が電位差（ＣＳＰ−ＣＳＮ）をサンプルホールドする。
【００５０】
第１アンプ回路ＳＡＡは、電流センスアンプ回路である。第１アンプ回路ＳＡＡは、サンプルホールド回路ＳＨＣがホールドした電位差を、所定ゲインで増幅する。
【００５１】
第２アンプ回路ＳＡＢは、電流センスアンプ回路である。第２アンプ回路ＳＡＢは、電流検出回路１２３に入力された電位差（ＣＳＰ−ＣＳＮ）を、所定ゲインで増幅する。
【００５２】
スイッチ回路ＳＬＳＨは、ＳＨＭＯＤ＝Ｈのとき第１アンプ回路ＳＡＡの出力電圧を選択する。即ち、ＳＨＭＯＤ１＝Ｈは、サンプルホールド回路ＳＨＣを用いる動作モードである。一方、スイッチ回路ＳＬＳＨは、ＳＨＭＯＤ＝Ｌのとき第２アンプ回路ＳＡＢの出力電圧を選択する。即ち、ＳＨＭＯＤ１＝Ｌは、サンプルホールド回路ＳＨＣを用いない動作モードである。スイッチ回路ＳＬＳＨは、選択した電圧を検出電圧ＤＴＱとして出力する。スイッチ回路ＳＬＳＨは、例えばトランジスターを用いたアナログスイッチ回路である。
【００５３】
図３に示すように、ＰＷＭ信号ＤＣＳ１がローレベルからハイレベルになったとき、発光素子１５に電流ＩＬＤが流れ始める。このとき、第１抵抗ＲＣＳの両端の電位差が急激に変化するので、電流検出回路１２３の検出電圧ＤＴＱが正しい電圧となるまでに遅延が発生する。例えば、電流検出回路１２３の出力ノードに寄生する容量等によって、検出電圧ＤＴＱが正しい電圧となるまでに遅延が発生する。
【００５４】
この遅延は、エラーアンプ回路１２４の出力電圧ＥＲＱに誤差を生じさせるが、ＰＷＭ信号ＤＣＳ１が高デューティーである場合には、ＰＷＭ信号ＤＣＳ１がハイレベルである期間の大部分において検出電圧ＤＴＱが正しい電圧となっているため、誤差の影響は小さい。このため、高デューティーモードにおいてサンプルホールドを無効にする。一方、ＰＷＭ信号ＤＣＳ１が低デューティーである場合には、ＰＷＭ信号ＤＣＳ１がハイレベルである期間において上記遅延が占める割合が大きくなる。このため、低デューティーモードにおいてサンプルホールドを有効にする。ＰＷＭ信号ＤＣＳ１がハイレベルからローレベルになる直前にサンプルホールドが行われるので、そのタイミングでは検出電圧ＤＴＱが正しい電圧となっていると期待できる。これにより、上記遅延に影響されることなく正しい電流検出が可能となる。
【００５５】
次に、マスク動作について説明する。図７は、マスク動作が有効であるときの波形図である。
【００５６】
ＰＷＭ信号ＤＣＳ１がハイレベルのとき、発光素子１５に流れる電流がＩＬＤ＞０となり、ＰＷＭ信号ＤＣＳ１がローレベルのとき、発光素子１５に流れる電流がＩＬＤ＝０となる。ＳＨＭＯＤ１＝Ｌにおいて、ＰＷＭ信号ＤＣＳ１がローレベルからハイレベルとなった後、マスク期間ＴＤＬが経過したときに、スイッチ回路１２５がオフからオンになり、スイッチ回路１２５がエラーアンプ回路１２４の出力電圧ＥＲＱを出力する。ＰＷＭ信号ＤＣＳ１がハイレベルからローレベルになったときには、同時にスイッチ回路１２５がオンからオフになる。例えば、スイッチ回路１２５は、遅延時間がＴＤＬの遅延回路と、その遅延回路の出力信号とＰＷＭ信号ＤＣＳ１の論理積信号を出力するＡＮＤ回路と、を含む。そして論理積信号によりスイッチ回路１２５のオンオフを制御する。なお、スイッチ回路１２５がオフのときには、不図示の外付けキャパシター等によってスイッチ回路１２５の出力ノードの電圧が保持される。
【００５７】
上述したように、ＰＷＭ信号ＤＣＳ１がローレベルからハイレベルになったとき、検出電圧ＤＴＱが正しい電圧となるまでに遅延が発生する。この遅延時間よりもマスク期間ＴＤＬを長くしておく。これにより、検出電圧ＤＴＱが正しい電圧でない期間において、エラーアンプ回路１２４の出力電圧ＥＲＱがマスクされる。これにより正確な電流検出が可能となり、スイッチングレギュレート制御の精度を向上できる。
【００５８】
ＳＨＭＯＤ１＝Ｈのときには、マスク動作は無効である。即ち、ＰＷＭ信号ＤＣＳ１がローレベルからハイレベルとなったとき、同時にスイッチ回路１２５がオフからオンとなる。図５等で説明したように、ＳＨＭＯＤ１＝Ｈのときには、ＰＷＭ信号ＤＣＳ１の立ち下がり直前に電流検出回路１２３がサンプルホールドを行うので、ＰＷＭ信号ＤＣＳ１がローレベルからハイレベルとなったときの不正確な検出電圧ＤＴＱは出力されない。このため、マスク動作を行う必要がない。
【００５９】
次に、ゲート延長について説明する。ＳＨＭＯＤ１＝Ｈのとき、即ちＰＷＭ信号ＤＣＳ１が低デューティーのとき、制御信号出力回路１２１は、図４で説明した制御信号ＧＴＡ及び第２制御信号ＧＴＢを出力する。即ち、制御信号出力回路１２１は、第１制御信号ＤＲＶがハイレベルからローレベルになったとき制御信号ＧＴＡをハイレベルからローレベルにする。また制御信号出力回路１２１は、第１制御信号ＤＲＶがハイレベルからローレベルになった後、所定期間経過したとき制御信号ＧＴＡをハイレベルからローレベルにする。
【００６０】
ＳＨＭＯＤ１＝Ｌのとき、即ちＰＷＭ信号ＤＣＳ１が高デューティーのとき、制御信号出力回路１２１は、図３で説明した制御信号ＧＴＡ及び第２制御信号ＧＴＢを出力する。即ち、制御信号出力回路１２１は、第１制御信号ＤＲＶがハイレベルからローレベルになったとき制御信号ＧＴＡ及び第２制御信号ＧＴＢをローレベルにする。
【００６１】
次に、ＡＭＯＤ１を用いた動作制御の例、即ち調光モードに応じた動作制御の例を説明する。図８は、光源装置２００の第２構成例である。第２構成例では、発光制御装置１００が２つの光源回路１０、２０を制御する。
【００６２】
図８の光源装置２００は、発光制御装置１００と光源回路１０と光源回路２０とを含む。発光制御装置１００は第１発光制御回路１０１と第２発光制御回路１０２とを含む。なお図８では、発光制御装置１００に設けられた端子の図示を省略している。
【００６３】
光源回路１０及び第１発光制御回路１０１の構成及び動作については、図１等で説明した通りである。光源回路２０は図１の光源回路１０と同様な構成であるため説明を省略する。第２発光制御回路１０２は第１発光制御回路１０１と基本的には同様な構成であるが、スイッチングレギュレート制御に用いられるクロック信号が調光モードに応じて選択される構成となっている。以下、第２発光制御回路１０２について説明する。
【００６４】
第２発光制御回路１０２は、第３駆動回路１５０と第４駆動回路１６０とモード判定回路１７０と発振回路１８０とセレクター１９０とインバーター１９１とを含む。
【００６５】
第３駆動回路１５０は、光源回路２０の第３スイッチング素子をオン又はオフに制御する第３制御信号を、ＰＷＭ信号ＤＣＳ２に基づいて出力する。第３駆動回路１５０の動作は第１駆動回路１１０と同様である。即ち、第３スイッチング素子は図１の第１スイッチング素子１１に相当し、第３制御信号は図１の第１制御信号ＤＲＶに相当している。
【００６６】
第４駆動回路１６０は、光源回路２０の第４スイッチング素子をオン又はオフに制御する第４制御信号を、調光用電圧ＡＣＳ２とＰＷＭ信号ＤＣＳ２とクロック信号ＣＬＫ２’に基づいて出力する。第４駆動回路１６０の動作は第２駆動回路１２０と同様である。即ち、第４スイッチング素子は図１の第２スイッチング素子１２に相当し、第４制御信号は図１の第２制御信号ＧＴＢに相当している。
【００６７】
モード判定回路１７０は、ＰＷＭ信号ＤＣＳ２に基づいて調光モード判定信号ＡＭＯＤ２とデューティー判定信号ＳＨＭＯＤ２を出力する。モード判定回路１７０の動作はモード判定回路１３０と同様である。即ち、ＡＭＯＤ２、ＳＨＭＯＤ２の真理値表は、図５で説明したＡＭＯＤ１、ＳＨＭＯＤ１と同様である。但し、ＰＷＭ信号ＤＣＳ１とＰＷＭ信号ＤＣＳ２のデューティーは任意であるため、モード判定回路１３０とモード判定回路１７０のモード判定結果は互いに異なっていてもよい。
【００６８】
発振回路１８０は、クロック信号ＣＬＫ２を生成する。インバーター１９１は、クロック信号ＣＬＫ１の論理レベルを反転させる。セレクター１９０は、調光モード判定信号ＡＭＯＤ１、ＡＭＯＤ２に基づいて、クロック信号ＣＬＫ１の反転信号、又はクロック信号ＣＬＫ２を選択し、クロック信号ＣＬＫ２’として出力する。
【００６９】
図９は、セレクター１９０の動作を説明する図である。ＡＭＯＤ１＝ＡＭＯＤ２＝Ｈのとき、セレクター１９０は、クロック信号ＣＬＫ１の反転信号をクロック信号ＣＬＫ２’として出力する。図９においてＣＬＫ１の上にバーを付すことで反転信号を示す。ＡＭＯＤ１＝ＡＭＯＤ２＝Ｈ以外のとき、セレクター１９０は、クロック信号ＣＬＫ２をクロック信号ＣＬＫ２’として出力する。
【００７０】
ＡＭＯＤ１＝ＡＭＯＤ２＝Ｈのとき、即ち第１発光制御回路１０１と第２発光制御回路１０２が共にアナログ調光モードのとき、クロック信号ＣＬＫ１とクロック信号ＣＬＫ２’が逆位相になる。即ち、光源回路１０をスイッチングレギュレート制御する第２制御信号と、光源回路２０をスイッチングレギュレート制御する第４制御信号とが、逆位相になる。
【００７１】
アナログ調光モードは、発光素子を高輝度に調光する際に用いられる。即ち、発光素子に流れる電流が大きいモードである。図２に示すように、発光素子に流れる電流には、スイッチングレギュレート制御によるリップルが存在する。仮に光源回路１０、２０のスイッチングレギュレート制御が同位相で行われた場合、リップルの最大電流が同時に発生することになる。そうすると、光源回路２０に電源を供給する電源回路の最大負荷が高くなる。この点、本実施形態では光源回路１０、２０のスイッチングレギュレート制御が逆位相で行われるので、リップルの最大電流が発生するタイミングをずらすことができる。これにより、電源回路の最大負荷を低減できる。
【００７２】
３．モード判定回路の詳細構成例
図１０は、モード判定回路１３０の詳細構成例である。なおモード判定回路１７０も同様な構成である。図１０に示すように、モード判定回路１３０は、ＰＷＭ信号ＤＣＳ１に基づいて調光モード判定信号ＡＭＯＤ１を出力する第１判定回路ＤＴＡと、ＰＷＭ信号ＤＣＳ１に基づいてデューティー判定信号ＳＨＭＯＤ１を出力する第２判定回路ＤＴＢと、を含む。
【００７３】
図１１は、第１判定回路ＤＴＡの詳細構成例である。第１判定回路ＤＴＡは、遅延回路ＤＬＣＡとＮＯＲ回路ＮＲＡとトランジスターＴＲＡと電流源ＩＳＡとキャパシターＣＰＡとバッファー回路ＳＨＭＡとを含む。
【００７４】
キャパシターＣＰＡの一端は第２電源ノードに接続される。第２電源ノードは例えばグランドノードである。電流源ＩＳＡは、キャパシターＣＰＡの他端に接続され、キャパシターＣＰＡに電流ＩＢＡを供給する。トランジスターＴＲＡは、Ｎ型トランジスターであり、キャパシターＣＰＡの他端と第２電源ノードとの間に接続される。即ちトランジスターＴＲＡのソースが第２電源ノードに接続され、トランジスターＴＲＡのドレインがキャパシターＣＡの他端に接続される。キャパシターＣＡの他端の電圧をＶＤＴＡとする。バッファー回路ＳＨＭＡは、電圧ＶＤＴＡがしきい値電圧よりも高いか否かに応じて、第１論理レベル又は第２論理レベルの調光モード判定信号ＡＭＯＤ１を出力する。しきい値電圧は、いわゆるロジカルスレッショルドである。バッファー回路ＳＨＭＡは、例えばシュミット回路である。
【００７５】
図１２は、第１判定回路ＤＴＡの動作を説明する波形図である。図１２では、第１論理レベルをローレベルとし、第２論理レベルをハイレベルとし、第２電源をグランドとする。
【００７６】
遅延回路ＤＬＣＡは、ＰＷＭ信号ＤＣＳ１を遅延させた信号ＤＣＳ＿ＤＬＡを出力する。遅延時間は、ＰＷＭ信号ＤＣＳ１の周期ＴＰＷＭよりも十分短い時間である。ＮＯＲ回路ＮＲＡは、ＰＷＭ信号ＤＣＳ１と信号ＤＣＳ＿ＤＬＡの否定論理和を、マスク信号ＭＳＫＡとして出力する。ＰＷＭ信号ＤＣＳ１がローレベルのとき、基本的にマスク信号ＭＳＫＡがハイレベルとなるが、遅延回路ＤＬＣＡによる遅延時間の分だけマスク信号ＭＳＫＡの立ち上がりが遅延する。
【００７７】
マスク信号ＭＳＫＡがハイレベルのとき、トランジスターＴＲＡがオンなので、キャパシターＣＰＡの他端の電圧ＶＤＴＡがグランドになる。マスク信号ＭＳＫＡがローレベルになるとトランジスターＴＲＡがオフになり、キャパシターＣＰＡに電流ＩＢＡが供給される。これにより電圧ＶＤＴＡが上昇する。ＰＷＭ調光モードの場合、マスク信号ＭＳＫＡが再びハイレベルになるので、電圧ＶＤＴＡがグランドに戻る。このときの電圧ＶＤＴＡの最大値を超えないようにバッファー回路ＳＨＭＡのしきい値電圧ＶＴＨＡが設定されている。即ち、ＰＷＭ調光モードでは、調光モード判定信号ＡＭＯＤ１はローレベルに維持される。
【００７８】
アナログ調光モードの場合には、周期ＴＰＷＭよりも長い期間、ＰＷＭ信号ＤＣＳ１がハイレベルとなっている。この場合、電圧ＶＤＴＡがしきい値電圧ＶＴＨＡを超えるので、調光モード判定信号ＡＭＯＤ１がローレベルからハイレベルになる。再びＰＷＭ調光モードとなり、ＰＷＭ信号ＤＣＳ１がローレベルになるとマスク信号ＭＳＫＡがハイレベルとなり、調光モード判定信号ＡＭＯＤ１がローレベルとなる。以上のようにして、ＰＷＭ信号ＤＣＳ１のアクティブ期間の長さに基づいて、アナログ調光モード及びＰＷＭ調光モードが検出される。
【００７９】
図１３は、第２判定回路ＤＴＢの詳細構成例である。第２判定回路ＤＴＢは、遅延回路ＤＬＣＢとＮＯＲ回路ＮＲＢとトランジスターＴＲＢと電流源ＩＳＢ１、ＩＳＢ２とキャパシターＣＰＢとバッファー回路ＳＨＭＢとスイッチＳＷＢとラッチ回路ＦＦＢとインバーターＩＮＢ１、ＩＮＢ２とを含む。
【００８０】
トランジスターＴＲＢ、電流源ＩＳＢ１、キャパシターＣＰＢ、バッファー回路ＳＨＭＢは、図１１のトランジスターＴＲＡ、電流源ＩＳＡ１、キャパシターＣＰＡ、バッファー回路ＳＨＭＡと同様な構成であるため、説明を省略する。スイッチＳＷＢは例えばトランスファーゲートである。キャパシターＣＰＢの一端は第２電源ノードに接続される。スイッチＳＷＢがオンのとき、電流源ＩＳＢ１がキャパシターＣＰＢの他端に接続され、キャパシターＣＰＢに電流ＩＢＢ２を供給する。ラッチ回路ＦＦＢは、ＰＷＭ信号ＤＣＳ１が論理反転された信号ＸＤＣＳ１のエッジで、バッファー回路ＳＨＭＢの出力信号ＳＨＱＢをラッチする。インバーターＩＮＢ２は、ラッチ回路ＦＦＢの出力信号を論理反転し、デューティー判定信号ＳＨＭＯＤ１として出力する。
【００８１】
図１４、図１５は、第２判定回路ＤＴＢの動作を説明する波形図である。図１４、図１５では、第１論理レベルをローレベルとし、第２論理レベルをハイレベルとし、第２電源をグランドとする。なお図１４、図１５では、ＰＷＭ信号ＤＣＳ１の１周期全体を図示せずに、ハイ期間付近のみを図示している。
【００８２】
図１４には、ＰＷＭ信号ＤＣＳ１のデューティーが増加していくときの波形図を示す。マスク信号ＭＳＫＢは、マスク信号ＭＳＫＡと同様にして生成される。即ち、ＰＷＭ信号ＤＣＳ１がハイレベルからローレベルになった後、遅延回路ＤＬＣＡによる遅延時間の分だけ遅延してマスク信号ＭＳＫＡがローレベルからハイレベルになる。
【００８３】
デューティー判定信号ＳＨＭＯＤ１がハイレベルのときスイッチＳＷＢはオフなので、電流ＩＢＢ１のみがキャパシターＣＰＢに供給される。マスク信号ＭＳＫＢがローレベルの期間においてキャパシターＣＰＢの他端の電圧ＶＤＴＢが上昇していく。ＶＤＴＢ≧ＶＴＨＢのとき、バッファー回路ＳＨＭＢの出力信号ＳＨＱＢはハイレベルとなる。ＶＴＨＢはバッファー回路ＳＨＭＢのしきい値電圧である。
【００８４】
ＰＷＭ信号ＤＣＳ１のデューティーが８％以下のとき、ＰＷＭ信号ＤＣＳ１が立ち下がるタイミングでＶＤＴＢ＜ＶＴＨＢである。ラッチ回路ＦＦＢは、ＰＷＭ信号ＤＣＳ１の立ち下がりでバッファー回路ＳＨＭＢの出力信号ＳＨＱＢをラッチするので、ＳＨＭＯＤ１はハイレベルである。一方、ＰＷＭ信号ＤＣＳ１のデューティーが９％以上のとき、ＰＷＭ信号ＤＣＳ１が立ち下がるタイミングでＶＤＴＢ＞ＶＴＨＢとなるため、ＳＨＭＯＤ１がハイレベルからローレベルになる。
【００８５】
図１５には、ＰＷＭ信号ＤＣＳ１のデューティーが減少していくときの波形図を示す。ＳＨＭＯＤ１がローレベルのときスイッチＳＷＢはオンなので、電流ＩＢＢ１と電流ＩＢＢ２がキャパシターＣＰＢに供給される。これにより、ＰＷＭ信号ＤＣＳ１のデューティーが増加していく場合に比べて、電圧ＶＤＴＢの時間変化の傾きが増加する。
【００８６】
回路動作については、図１４で説明した通りである。但し、電圧ＶＤＴＢの時間変化の傾きが増加したことによって、デューティー判定しきい値が小さくなっている。具体的には、デューティー８％以上ではＳＨＭＯＤ１はローレベルであり、デューティー７％以下ではＳＨＭＯＤ１はハイレベルである。このようなヒステリシスを設けることで、ノイズ等の影響を低減でき、モード判定結果を安定化できる。以上のようにして、ＰＷＭ信号ＤＣＳ１のアクティブ期間の長さに基づいて、動作モードが検出される。
【００８７】
図１６は、第２判定回路ＤＴＢの変形例である。図１６の第２判定回路ＤＴＢは、抵抗ＲＤＣとキャパシターＣＰＣとバッファー回路ＳＨＭＣとインバーターＩＮＣとを含む。図１７は、第２判定回路ＤＴＢの変形例の動作を説明する波形図である。
【００８８】
抵抗ＲＤＣとキャパシターＣＰＣはローパスフィルターを構成しており、ＰＷＭ信号ＤＣＳ１を平滑化する。平滑化された電圧ＶＤＴＣがバッファー回路ＳＨＭＣに入力される。バッファー回路ＳＨＭＣのしきい値電圧をＶＴＨＣとする。ＰＷＭ信号ＤＣＳ１が低デューティーのとき、ＶＤＴＣ＜ＶＴＨＣである。このためＳＨＭＯＤ１はハイレベルとなる。ＰＷＭ信号ＤＣＳ１のデューティーが増加すると電圧ＶＤＴＣが増加し、ＶＤＴＣ≧ＶＴＨＣとなったときＳＨＭＯＤ１がハイレベルからローレベルとなる。
【００８９】
例えば、デューティーの判定しきい値を１０％とする。このとき、デューティー１０％のＰＷＭ信号ＤＣＳ１をローパスフィルターで平滑化した電圧と、バッファー回路ＳＨＭＣのしきい値電圧ＶＴＨＣとを同程度にしておく。これにより、デューティー１０％未満ではＳＨＭＯＤ１＝Ｈとなり、デューティー１０％以上ではＳＨＭＯＤ１＝Ｌとなる。以上のようにして、ＰＷＭ信号ＤＣＳ１のデューティー比に基づいて、動作モードが検出される。
【００９０】
図１８は、モード判定回路１３０の変形例である。図１８のモード判定回路１３０は、発振回路ＯＳＤとカウンターＣＮＴＤとデコーダーＤＥＣＤとを含む。図１９は、モード判定回路１３０の変形例の動作を説明する波形図である。
【００９１】
カウンターＣＮＴＤは、発振回路ＯＳＤが生成するクロック信号によりカウント動作を行う。カウンターＣＮＴＤは、ＰＷＭ信号ＤＣＳ１の立ち上がりでカウントを開始し、ＰＷＭ信号ＤＣＳ１の立ち下がりでカウント値ＣＴＱをラッチして出力する。図１９では、ＰＷＭ信号ＤＣＳ１の周期ＴＰＷＭが１００カウントに対応している。即ち、カウント値ＣＴＱは、デューティーの％表示と同じ数値となっている。なお、周期ＴＰＷＭとカウント値の対応は上記に限定されない。
【００９２】
デコーダーＤＥＣＤは、カウント値ＣＴＱに基づいて調光モード判定信号ＡＭＯＤ１とデューティー判定信号ＳＨＭＯＤ１を出力する。デコーダーＤＥＣＤは、ＣＴＱ＜１００のときＡＭＯＤ１＝Ｌを出力し、ＣＴＱ＝１００のときＡＭＯＤ１＝Ｈを出力する。またデコーダーＤＥＣＤは、ＣＴＱ≦１０のときＳＨＭＯＤ１＝Ｈを出力し、ＣＴＱ＞１０のときＳＨＭＯＤ１＝Ｌを出力する。即ち、ここではデューティー判定しきい値が１０％とした。
【００９３】
４．投写型映像表示装置
図２０は、光源装置２００を含む投写型映像表示装置４００の構成例である。投写型映像表示装置４００は、スクリーンに映像を投写する装置であり、プロジェクターとも呼ばれる。投写型映像表示装置４００は、光源装置２００と処理装置３００と操作部３１０と記憶部３２０と通信部３３０と表示装置３４０と光学系３５０とを含む。光源装置２００は発光制御装置１００と光源回路１０とを含む。
【００９４】
通信部３３０は、ＰＣ等の情報処理装置との間で通信を行う。通信部３３０は、ＶＧＡ規格又はＤＶＩ規格、ＨＤＭＩ規格（ＨＤＭＩは登録商標）等の種々の映像インターフェースである。或いは、通信部３３０は、ＵＳＢ規格等の通信インターフェースであってもよいし、又はＬＡＮ等のネットワークインターフェースであってもよい。記憶部３２０は、通信部３３０から入力された画像データを記憶する。また記憶部３２０は処理装置３００のワーキングメモリーとして機能してもよい。記憶部３２０は、半導体メモリー又はハードディスクドライブ等の種々の記憶装置である。操作部３１０は、ユーザーが投写型映像表示装置４００を操作するためのユーザーインターフェースである。例えば操作部３１０は、ボタン又はタッチパネル、ポインティングデバイス、文字入力デバイス等である。処理装置３００は、ＣＰＵ又はＭＰＵ等のプロセッサーである。処理装置３００は、記憶部３２０に記憶された画像データを表示装置３４０へ送信する。また処理装置３００は、発光制御装置１００にＰＷＭ信号及び調光用電圧を出力することで調光制御を行う。表示装置３４０は、液晶表示パネルと、画像データに基づいて液晶表示パネルに画像を表示させる表示ドライバーと、を含む。液晶パネルには光源回路１０から光が入射され、液晶パネルを透過した光が光学系３５０によってスクリーンに投写される。図２０では光の経路を点線矢印で示している。
【００９５】
以上に説明した本実施形態の発光制御装置は、第１スイッチング素子と第２スイッチング素子とを制御する。第１スイッチング素子は、第１電源ノードとインダクターの一端との間において発光素子に対して直列に設けられる。第２スイッチング素子は、インダクターの他端と第２電源ノードとの間に設けられる。発光制御装置は、ＰＷＭ端子と第１駆動回路と第２駆動回路とモード判定回路とを含む。ＰＷＭ端子には、ＰＷＭ信号が入力される。第１駆動回路は第１制御信号を出力し、第１制御信号は、ＰＷＭ信号がアクティブのとき第１スイッチング素子をオンさせると共に、ＰＷＭ信号が非アクティブのとき第１スイッチング素子をオフさせる。第２駆動回路は第２制御信号を出力し、第２制御信号は、ＰＷＭ信号がアクティブのとき、第２スイッチング素子のオンオフを制御する。モード判定回路は、第１制御信号による調光モードであるＰＷＭ調光モードなのか、第２制御信号による調光モードであるアナログ調光モードなのかを、ＰＷＭ信号に基づいて判定する。
【００９６】
本実施形態によれば、ＰＷＭ端子に入力されたＰＷＭ信号に基づいて調光モードが判定されるので、発光制御装置の外部からモード信号を受信しなくても発光制御装置の内部で調光モードを判定できる。これにより、端子数又は回路規模が増加することなく、発光制御装置が調光モードを判定できるようになる。
【００９７】
また本実施形態では、モード判定回路は、ＰＷＭ信号のアクティブ期間の長さ、又はＰＷＭ信号のデューティー比を判定することで、ＰＷＭ調光モードであるかアナログ調光モードであるかを判定してもよい。
【００９８】
ＰＷＭ端子には、調光モードに応じてデューティー比が異なるＰＷＭ信号が入力される。ＰＷＭ信号のアクティブ期間の長さは、ＰＷＭ信号のデューティー比に応じて変化する。このため、モード判定回路は、ＰＷＭ信号のアクティブ期間の長さ、又はＰＷＭ信号のデューティー比を判定することで、調光モードを判定できる。
【００９９】
また本実施形態では、ＰＷＭ調光モードにおいて、ＰＷＭ信号のアクティブ期間の長さに対応した複数のモードを有してもよい。モード判定回路は、ＰＷＭ信号のアクティブ期間の長さを判定することで、複数の動作モードのうちいずれの動作モードであるかを判定してもよい。
【０１００】
ＰＷＭ端子には、動作モードに応じてデューティー比が異なるＰＷＭ信号が入力される。ＰＷＭ信号のアクティブ期間の長さは、ＰＷＭ信号のデューティー比に応じて変化する。このため、モード判定回路は、ＰＷＭ信号のアクティブ期間の長さを判定することで、動作モードを判定できる。
【０１０１】
また本実施形態では、ＰＷＭ調光モードにおいて、ＰＷＭ信号のデューティー比に対応した複数の動作モードを有してもよい。モード判定回路は、ＰＷＭ信号のデューティー比を判定することで、複数の動作モードのうちいずれの動作モードであるかを判定してもよい。
【０１０２】
ＰＷＭ端子には、動作モードに応じてデューティー比が異なるＰＷＭ信号が入力される。このため、モード判定回路は、ＰＷＭ信号のアクティブ期間の長さを判定することで、動作モードを判定できる。
【０１０３】
また本実施形態では、発光制御装置は、発光素子に流れる電流を検出する電流検出回路を含んでもよい。第２駆動回路は、電流検出回路の検出結果に基づいて第２制御信号を出力してもよい。複数の動作モードは、電流検出回路の第１動作モードと第２動作モードとを含んでもよい。
【０１０４】
本実施形態によれば、モード判定回路が、ＰＷＭ信号のアクティブ期間の長さ、又はＰＷＭ信号のデューティー比を判定することで、電流検出回路の第１動作モードであるか第２動作モードであるかを判定できる。
【０１０５】
また本実施形態では、第１電源ノードとインダクターの一端との間に、発光素子及び第１スイッチング素子と直列に第１抵抗が設けられてもよい。電流検出回路は、第１抵抗の両端の電位差をサンプルホールドするサンプルホールド回路と、サンプルホールド回路の出力電圧を増幅する第１アンプ回路と、第１抵抗の両端の電位差を増幅する第２アンプ回路と、を有してもよい。電流検出回路は、第１動作モードにおいて第１アンプ回路の出力電圧を検出結果として出力し、第２動作モードにおいて第２アンプ回路の出力電圧を検出結果として出力するスイッチ回路を、有してもよい。
【０１０６】
このようにすれば、モード判定回路により判定されたモードに応じて、電流検出回路の動作が制御される。即ち、発光制御装置の外部からモード判定信号を受信しなくても、発光制御装置の内部動作である電流検出回路の動作を、モード判定結果に応じて制御できる。
【０１０７】
また本実施形態では、発光制御装置は、発光素子に流れる電流を検出する電流検出回路を含んでもよい。第２駆動回路は、電流検出回路の検出結果に基づいて第２制御信号を出力してもよい。複数の動作モードは、第２駆動回路の第１動作モードと第２動作モードとを含んでもよい。第２駆動回路は、第２動作モードにおいて、ＰＷＭ信号が非アクティブからアクティブになった後のマスク期間において、電流検出回路の検出結果をマスクするマスク動作を行い、第１動作モードにおいて、マスク動作を行わなくてもよい。
【０１０８】
このようにすれば、モード判定回路により判定されたモードに応じて、第２駆動回路のマスク動作が制御される。即ち、発光制御装置の外部からモード判定信号を受信しなくても、発光制御装置の内部動作である第２駆動回路のマスク動作を、モード判定結果に応じて制御できる。
【０１０９】
また本実施形態では、複数の動作モードは、第２駆動回路の第１動作モードと第２動作モードとを含んでもよい。第２駆動回路は、第１動作モードにおいて、第１スイッチング素子がオンからオフになるとき第２スイッチング素子をオフさせる第２制御信号を出力してもよい。第２駆動回路は、第２動作モードにおいて、第１スイッチング素子がオンからオフになった後、所定期間において第２スイッチング素子をオンに維持する第２制御信号を出力してもよい。
【０１１０】
第２動作モードにおいて、第１スイッチング素子がオンからオフになった後、所定期間において第２スイッチング素子をオンに維持する動作を、ゲート延長動作と呼ぶこととする。本実施形態によれば、モード判定回路により判定されたモードに応じて、第２駆動回路のゲート延長動作が制御される。即ち、発光制御装置の外部からモード判定信号を受信しなくても、発光制御装置の内部動作である第２駆動回路のゲート延長動作を、モード判定結果に応じて制御できる。
【０１１１】
また本実施形態では、複数の動作モードは、第１動作モードと第２動作モードを含んでもよい。モード判定回路は、ＰＷＭ信号のアクティブ期間の長さがしきい値より短いとき、第１動作モードと判定し、ＰＷＭ信号のアクティブ期間の長さがしきい値より長いとき、第２動作モードと判定してもよい。
【０１１２】
このようにすれば、モード判定回路が、ＰＷＭ信号のアクティブ期間の長さに基づいて動作モードを判定できる。即ち、モード判定回路が、ＰＷＭ信号のアクティブ期間の長さがしきい値より長いか否かを判定することで、動作モードを判定できる。
【０１１３】
また本実施形態では、複数の動作モードは、第１動作モードと第２動作モードを含んでもよい。モード判定回路は、ＰＷＭ信号のデューティー比がしきい値より小さいとき、第１動作モードと判定し、ＰＷＭ信号のデューティー比がしきい値より大きいとき、第２動作モードと判定してもよい。
【０１１４】
このようにすれば、モード判定回路が、ＰＷＭ信号のデューティー比に基づいて動作モードを判定できる。即ち、モード判定回路が、ＰＷＭ信号のデューティー比がしきい値より大きいか否かを判定することで、動作モードを判定できる。
【０１１５】
また本実施形態では、モード判定回路は、一端が第２電源ノードに接続されるキャパシターと、キャパシターの他端に接続され、キャパシターに電流を供給する電流源と、キャパシターの他端と第２電源ノードとの間に接続され、ＰＷＭ信号が非アクティブからアクティブになったときオンからオフになるトランジスターと、を有してもよい。モード判定回路は、キャパシターの他端の電圧がしきい値電圧より低いとき第１論理レベルの信号を出力し、キャパシターの他端の電圧がしきい値電圧より高いとき第２論理レベルの信号を出力するバッファー回路を、有してもよい。
【０１１６】
本実施形態によれば、トランジスターがオフのとき、電流源からの電流によってキャパシターが充電され、キャパシターの他端の電圧が上昇していく。トランジスターがオンになるとキャパシターの他端がトランジスターを介して第２電源ノードに接続され、キャパシターの電荷がリセットされる。キャパシターの電荷がリセットされるまでの時間は、ＰＷＭ信号のデューティー比、即ちＰＷＭ信号のアクティブ期間によって決まる。このため、キャパシターの他端の最大電圧は、ＰＷＭ信号のデューティー比によって変わる。この電圧がバッファー回路のしきい値電圧を超えるか否かによって、ＰＷＭ信号のデューティー比がしきい値より大きいか否かを判定できる。
【０１１７】
また本実施形態では、発光制御装置は、第２調光モードにおいて発光素子を調光する調光用電圧が入力される調光用電圧入力端子を含んでもよい。第２駆動回路は、ＰＷＭ信号がアクティブである期間において、調光用電圧に対応した電流が発光素子に流れるように第２スイッチング素子に第２制御信号を出力するスイッチングレギュレート制御を行ってもよい。ＰＷＭ調光モードは、ＰＷＭ信号のパルス幅により発光素子の発光量が設定される調光モードであってもよい。アナログ調光モードは、ＰＷＭ信号がアクティブに固定され、調光用電圧の電圧値により発光素子の発光量が設定される調光モードであってもよい。
【０１１８】
このように、アナログ調光モードではＰＷＭ信号がアクティブに固定され、ＰＷＭ調光モードではＰＷＭ信号のパルス幅により発光素子の発光量が設定される。即ち、アナログ調光モードとＰＷＭ調光モードではＰＷＭ信号のデューティー比が異なっている。これを利用することで、モード判定回路が、ＰＷＭ信号に基づいて調光モードを判定できる。
【０１１９】
また本実施形態の光源装置は、上記のいずれかに記載された発光制御装置と、発光素子と、第１スイッチング素子と、第２スイッチング素子と、を含む。
【０１２０】
また本実施形態の光源装置は、第１電源ノードと第１ノードとの間に電気的に接続される発光素子と、第１電源ノードと第１ノードとの間において、発光素子に直列に電気的に接続される第１スイッチング素子と、第１ノードと第２ノードとの間に電気的に接続されるインダクターと、第２ノードと第２電源ノードとの間に電気的に接続される第２スイッチング素子と、を含む。また光源装置は、第１スイッチング素子に第１制御信号を出力し、第２スイッチング素子に第２制御信号を出力する発光制御装置を、含む。発光制御装置は、ＰＷＭ端子と第１駆動回路と第２駆動回路とモード判定回路とを含む。ＰＷＭ端子には、ＰＷＭ信号が入力される。第１駆動回路は第１制御信号を出力し、第１制御信号は、ＰＷＭ信号がアクティブのとき第１スイッチング素子をオンさせると共に、ＰＷＭ信号が非アクティブのとき第１スイッチング素子をオフさせる。第２駆動回路は第２制御信号を出力し、第２制御信号は、ＰＷＭ信号がアクティブのとき、第２スイッチング素子のオンオフを制御する。モード判定回路は、第１制御信号による調光モードであるＰＷＭ調光モードなのか、第２制御信号による調光モードであるアナログ調光モードなのかを、ＰＷＭ信号に基づいて判定する。
【０１２１】
また本実施形態の投写型映像表示装置は、上記のいずれかに記載された光源装置を含む。
【０１２２】
なお、上記のように本実施形態について詳細に説明したが、本開示の新規事項および効果から実体的に逸脱しない多くの変形が可能であることは当業者には容易に理解できるであろう。従って、このような変形例はすべて本開示の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また本実施形態及び変形例の全ての組み合わせも、本開示の範囲に含まれる。また発光制御回路、発光制御装置、光源回路、光源装置、投写型映像表示装置の構成及び動作等も、本実施形態で説明したものに限定されず、種々の変形実施が可能である。
【符号の説明】
【０１２３】
１０…光源回路、１１…第１スイッチング素子、１２…第２スイッチング素子、１４…インダクター、１５…発光素子、２０…光源回路、１００…発光制御装置、１０１…第１発光制御回路、１０２…第２発光制御回路、１１０…第１駆動回路、１２０…第２駆動回路、１２１…制御信号出力回路、１２２…スロープ補償回路、１２３…電流検出回路、１２４…エラーアンプ回路、１２５…スイッチ回路、１２６…コンパレーター、１３０…モード判定回路、１４０…発振回路、１５０…第３駆動回路、１６０…第４駆動回路、１７０…モード判定回路、１８０…発振回路、１９０…セレクター、１９１…インバーター、２００…光源装置、３００…処理装置、３１０…操作部、３２０…記憶部、３３０…通信部、３４０…表示装置、３５０…光学系、４００…投写型映像表示装置、ＡＣＳ１…調光用電圧、ＡＭＯＤ１…調光モード判定信号、ＤＣＳ１…ＰＷＭ信号、ＤＲＶ…第１制御信号、ＧＴＢ…第２制御信号、ＮＧＮ…第２電源ノード、ＮＶＩ…第１電源ノード、ＲＣＳ…第１抵抗、ＳＡＡ…第１アンプ回路、ＳＡＢ…第２アンプ回路、ＳＨＣ…サンプルホールド回路、ＳＨＭＡ…バッファー回路、ＳＨＭＯＤ１…デューティー判定信号、ＴＤＬ…マスク期間
【図１】
2020136079.tif 000003
【図２】
2020136079.tif 000004
【図３】
2020136079.tif 000005
【図４】
2020136079.tif 000006
【図５】
2020136079.tif 000007
【図６】
2020136079.tif 000008
【図７】
2020136079.tif 000009
【図８】
2020136079.tif 000010
【図９】
2020136079.tif 000011
【図１０】
2020136079.tif 000012
【図１１】
2020136079.tif 000013
【図１２】
2020136079.tif 000014
【図１３】
2020136079.tif 000015
【図１４】
2020136079.tif 000016
【図１５】
2020136079.tif 000017
【図１６】
2020136079.tif 000018
【図１７】
2020136079.tif 000019
【図１８】
2020136079.tif 000020
【図１９】
2020136079.tif 000021
【図２０】
2020136079.tif 000022